(57)【要約】【課題】  躍動感のある装飾図柄及びキャラクタの動作により臨場感を高めるとともに、それらの形状や動作を明確に視認させることを可能にする遊技機の提供。【解決手段】複数の装飾図柄からなる図柄列、キャラクタ、及び背景を表示するための演出表示装置１１５と、始動口センサ３１８によって入賞が検出されると、装飾図柄を演出表示装置１１５に動的に表示させる図柄制御手段４１４、装飾図柄の表示中にキャラクタを動的に表示させるキャラクタ制御手段４１５、及びキャラクタの表示中に背景を動的に表示させる背景制御手段４１６を有し、装飾図柄をキャラクタの前側または後側に表示させた状態で背景を漸次変化させるとともに、装飾図柄をキャラクタに対して相対的に左右方向へ繰り返し変位させ、さらに装飾図柄の位置に応じてキャラクタの向きを変化させる演出表示制御手段４１３とを具備する。【選択図】        図２０
2006087460.tif 000002
【特許請求の範囲】
【請求項１】
複数の装飾図柄からなる図柄列、キャラクタ、及び背景を表示するための表示手段と、
遊技者の操作に応じて変化する遊技状態を検出する遊技状態検出手段と、
該遊技状態検出手段によって検出された遊技状態が所定の条件を満たすと、前記装飾図柄を前記表示手段に動的に表示させる図柄制御手段、前記装飾図柄の表示中に前記キャラクタを動的に表示させるキャラクタ制御手段、及び前記キャラクタの表示中に前記背景を動的に表示させる背景制御手段を有し、少なくとも一つの前記装飾図柄を前記キャラクタの前側または後側に表示させた状態で前記背景を漸次変化させるとともに、前記装飾図柄を前記キャラクタに対して相対的に左右方向へ繰り返し変位させ、さらに前記装飾図柄の位置に応じて前記キャラクタの向きを変化させる演出表示制御手段と
を具備することを特徴とする遊技機。
【発明の詳細な説明】
【技術分野】
【０００１】
本発明は、表示手段を用いて抽選に関する演出表示を行わせる、パチンコ遊技機等の遊技機に関するものである。
【背景技術】
【０００２】
従来、遊技盤に表示手段を備え、数字や記号等の装飾図柄からなる図柄列を表示させるようにした遊技機が知られている。この種の遊技機では、遊技状況が所定の条件を満たすと、表示手段において図柄列が変動するとともに、抽選結果に基づいてその変動が停止されるようになっている。また、図柄列の変動が停止する前に、表示手段にキャラクタを出現させ特殊な演出を行わせる遊技機もある。つまり、特殊な演出を所定の確率で実行させることにより、各変動毎に得られる期待感にメリハリを付け、抽選への期待感を高めるようにしたものである。
【０００３】
さらに、演出の一態様として、装飾図柄の変動とキャラクタの動作とを関連付けた演出表示を行わせる遊技機もある（例えば特許文献１）。具体的には、大当り遊技状態に先立ってリーチ状態が発生したとき、すなわち、既に停止している図柄列の組合せが特定の装飾図柄の組合せを充足したとき、特定の装飾図柄とキャラクタとを同一画面上に出現させ、予め定められた動作を演出表示させるものがある。
【特許文献１】特開２００２−２１０１２８号公報
【発明の開示】
【発明が解決しようとする課題】
【０００４】
しかし、上記の遊技機では、装飾図柄とキャラクタとが互いに関連付けられているものの、それらの動作は極めて単調なものであった。例えば、キャラクタが装飾図柄を追いかけるような動作を演出表示させる場合には、装飾図柄に対してキャラクタを相対的に変位させる必要があるが、従来の遊技機では、これらの動作方向は、いずれも上下方向または左右方向等、平面的な動きに過ぎないため、キャラクタ及び装飾図柄の動作が単調なものとなっていた。したがって、キャラクタへの関心が薄れ、演出への興趣を低下させることが懸念されていた。特に、従来の演出表示では、装飾図柄は補助的に表示されているに過ぎず、その動作は極めて単調なものとなっているため、キャラクタによる演出以上の効果を期待することができず、演出の内容が飽き易いものとなっていた。
【０００５】
そこで、本発明は、上記の実状に鑑み、躍動感のある装飾図柄及びキャラクタの動作を見せることにより臨場感のある演出表示を行うとともに、装飾図柄及びキャラクタの形状や動作を明確に視認させることを可能にする遊技機の提供を課題とするものである。
【課題を解決するための手段】
【０００６】
手段１：「複数の装飾図柄からなる図柄列、キャラクタ、及び背景を表示するための表示手段と、遊技者の操作に応じて変化する遊技状態を検出する遊技状態検出手段と、該遊技状態検出手段によって検出された遊技状態が所定の条件を満たすと、前記装飾図柄を前記表示手段に動的に表示させる図柄制御手段、前記装飾図柄の表示中に前記キャラクタを動的に表示させるキャラクタ制御手段、及び前記キャラクタの表示中に前記背景を動的に表示させる背景制御手段を有し、少なくとも一つの前記装飾図柄を前記キャラクタの前側または後側に表示させた状態で前記背景を漸次変化させるとともに、前記装飾図柄を前記キャラクタに対して相対的に左右方向へ繰り返し変位させ、さらに前記装飾図柄の位置に応じて前記キャラクタの向きを変化させる演出表示制御手段とを具備する」ものであることを特徴とする。
【０００７】
ここで、「装飾図柄」とは、数字や記号、あるいはそれらと絵柄との組合わせ等からなる演出用の図柄である。また、「キャラクタ」とは、図柄列及び背景以外の画像を意味しており、小説・漫画・映画・演劇などの登場人物、動物、または植物、もしくはこの遊技機のために作成された仮想上の人物、動物、または植物等を例示することができる。「遊技状態検出手段」とは、遊技者の操作に応じて変化する遊技状態を検出するものであり、例えば遊技媒体として遊技球を用いた遊技機においては、入賞口や始動口への入球状態を検出するスイッチ、入賞口に入球する遊技球の数をカウントするカウント手段、及び入賞に基づく抽選結果を認識する認識手段を例示することができる。さらに、「表示手段」としては、液晶表示装置、ＥＬ表示装置、プラズマ表示装置、またはＣＲＴ等を例示することができる。
【０００８】
手段１の構成によれば、遊技状態の変化が遊技状態検出手段によって検出され、例えば始動口に遊技球が入球する等、遊技状態が所定の条件を満たすと、図柄表示手段は、表示手段を制御して、図柄列の装飾図柄を動的に表示させる。また、キャラクタ制御手段は、装飾図柄の表示中、表示手段を制御して、所定のタイミングでキャラクタを出現させるとともに、そのキャラクタを動作させる。さらに、背景制御手段は、キャラクタの表示中、装飾図柄及びキャラクタの後方に背景が表示されるように表示手段を制御する。
【０００９】
また、本発明では、装飾図柄をキャラクタの前側または後側に表示させた状態で背景を漸次変化させるようにしている。特に、装飾図柄を表示させる際、その装飾図柄の表示位置がキャラクタの表示位置に対して右側及び左側へと交互に入れ替わるように、装飾図柄を相対的に左右方向に繰り返し変位させる。これによると、位置が入れ替わる途中で、装飾図柄とキャラクタとが重なる場面があるものの、それ以外の場面では装飾図柄とキャラクタとが左右方向、または斜め左右方向に並んだ状態となることから、装飾図柄及びキャラクタの、形状や動作をはっきりと認識させることが可能になる。また、装飾図柄及びキャラクタの相対的な大きさの比率をそれほど変化させなくても、装飾図柄の変位によって左右方向における装飾図柄とキャラクタとの間隔が変化することにより、キャラクタと装飾図柄との遠近感を認識させることが可能になる。さらに、本発明では、装飾図柄の位置に応じてキャラクタの向きを変化させるようにしている。例えば、キャラクタの身体及び顔が装飾図柄の方を向くようにキャラクタの向きを装飾図柄の動作に従って変化させる。これによれば、キャラクタのアングルが変化することから、キャラクタの動作に躍動感が生じるとともに、例えばキャラクタが装飾図柄を追いかけるような演出を容易に実現することが可能となる。
【００１０】
手段２：手段１の構成において、「前記演出表示制御手段は、前記装飾図柄を前記キャラクタの前側に位置させるように表示するとともに、その背景を、前方から後方に流れるように漸次変化させる」ものであることを特徴とする。
【００１１】
手段２の構成によれば、装飾図柄をキャラクタの前側（遊技者側）に位置させるように表示するとともに、その背景を、前方から後方に流れるように、即ち背景に含まれる任意の対象物が徐々に小さくなるように表示する。これによると、装飾図柄及びキャラクタが前方（遊技者側）に動作しているように見せることが可能となる。つまり、前方に向かって逃げる装飾図柄とその後方から追いかけるキャラクタとによる演出が行われる。
【００１２】
手段３：手段１の構成において、「前記演出表示制御手段は、前記キャラクタを前記装飾図柄の前側に位置させ、且つ前記キャラクタ及び前記装飾図柄を後向きで表示させるとともに、その背景を、後方から前方に流れるように漸次変化させる」ものであることを特徴とする。
【００１３】
手段３の構成によれば、手段２とは逆の方向に背景が流れることから、装飾図柄及びキャラクタが後方（遊技機の奥側）に動作しているように見せることが可能となる。つまり、後方に向かって逃げる装飾図柄と、その後方から追いかけるキャラクタとによる演出が行われる。
【００１４】
手段４：手段１〜手段３のいずれか一つの構成において、「前記演出表示制御手段は、前記キャラクタに対する前記装飾図柄の相対位置に応じて、背景の流れる向きを切替える背景切替手段を有する」ものであることを特徴とする。
【００１５】
手段４の構成によれば、背景切替手段は、キャラクタに対する装飾図柄の相対位置に応じて背景の流れる向きを切り替える。例えば、装飾図柄とキャラクタとの表示位置を直線で繋ぐと仮定した場合、その直線に沿って背景が流れるように演出表示を行う。つまり、表示手段の中央にキャラクタが表示され、表示手段の左下に装飾図柄が表示されている場合には、表示手段の左下から右上に向かって背景が流れるように表示する。一方、装飾図柄が表示手段の右下に表示されている場合には、表示手段の右下から左上に向かって背景が流れるように表示する。これによれば、装飾図柄を追いかけるキャラクタの向きと背景の流れとが常に相反方向となり、装飾図柄がどの位置であっても、キャラクタが装飾図柄を追いかける様子を視認させることができる。
【００１６】
手段５：手段１〜手段４のいずれか一つの構成において、「前記演出表示制御手段は、前記キャラクタを前記表示手段の略中央に表示させ、前記装飾図柄を前記表示手段の右端部と左端部との間で変位させる」ものであることを特徴とする。
【００１７】
手段５の構成によれば、キャラクタを表示手段の略中央に表示させながら、装飾図柄を表示手段の右端部（例えば右下部）と左端部（例えば左下部）との間で繰り返し変位させる。したがって、表示手段における画面の幅を最大限利用した変位動作が行われ、上記の手段１の効果を確実に奏することが可能となる。特に、略中央に表示されるキャラクタと装飾図柄との最大離間間隔を比較的大きく設定することができるため、双方の間での遠近感を効果的に表現することができる。また、キャラクタは表示手段の略中央に表示されるため、キャラクタの変位が比較的少なくなり、装飾図柄とキャラクタとの動作を躍動的に見せるにも拘わらず、キャラクタの動きに安定感を与えることができる。換言すれば、仮に、キャラクタ及び装飾図柄の双方を複雑に変位させるとした場合には、その複雑に動く二つの対象物の位置を目で追わなければならないため、眼球疲労が発生したり、遊技に集中することが困難となったりする恐れがあるが、キャラクタの安定した動きによって、遊技者の目の疲労は軽減され、遊技を長時間楽しむことが可能になる。
【００１８】
手段６：手段１〜手段５のいずれか一つの構成において、「前記演出表示制御手段は、前記装飾図柄に対する前記キャラクタの相対的な大きさを漸次変化させる相対比制御手段を有する」ものであることを特徴とする。
【００１９】
手段６の構成によれば、キャラクタに対して装飾図柄を左右方向に変位させることに加え、装飾図柄に対するキャラクタの相対的な大きさを漸次変化させる。このため、装飾図柄とキャラクタとの遠近感を一層明確に表現することが可能になる。したがって、例えば、キャラクタが装飾図柄に次第に近づき、まさに捕まえようとする瞬間の演出表示を強調することが可能になり、ひいては遊技者の期待感を高めることが可能になる。
【００２０】
手段７：手段６の構成において、「前記演出表示制御手段は、前記装飾図柄と前記キャラクタとの比率に応じて、背景における手前側と奥側との比率を合せて表示する背景比率調整手段をさらに備える」ものであることを特徴とする。
【００２１】
手段７の構成によれば、背景比率調整手段は、装飾図柄とキャラクタとの比率、すなわち装飾図柄に対するキャラクタの相対的な大きさに応じて、背景における手前側と奥側との比率を合せて表示させる。詳しくは、手段６の相対比制御手段によれば、装飾図柄に対するキャラクタの比率は、装飾図柄とキャラクタとの距離が離れている場合には小さく、一方、装飾図柄とキャラクタとが接近している場合には大きくなるように表示されるが、手段７の背景比率調整手段によれば、背景における手前側と奥側との比率を調整することによって背景の遠近感を変化させることから、装飾図柄とキャラクタとの遠近感が強調され、演出における臨場感をさらに高めることが可能になる。
【００２２】
手段８：手段１〜手段７のいずれか一つの構成において、「前記演出表示制御手段は、前記装飾図柄を左右方向に変位させる際、該装飾図柄をさらに旋回表示させる旋回表示手段を有する」ものであることを特徴とする。
【００２３】
手段８の構成によれば、旋回表示手段は装飾図柄を旋回表示させる。つまり、装飾図柄の動作に旋回動作が加わるため、自転しながら立体的に動作する装飾図柄が演出表示される。このため、装飾図柄の動作がさらに複雑になり、視覚的な面白みを一層高めることができる。特に、キャラクタ及び装飾図柄の進行方向に対して、回転（旋回）という異なる方向の動作が加わるため、演出画像の躍動感が極めて高くなる。また、装飾図柄の旋回によって、装飾図柄の動作速度をキャラクタの動作速度と異ならせることができ、双方の画像を明確に区別することが可能になる。すなわち、遊技者は表示手段を注視しなくても、演出内容を容易に把握することができる。
【００２４】
手段９：手段１〜手段８のいずれか一つの構成において、「前記演出表示制御手段は、前記装飾図柄と前記キャラクタとの関係が所定の条件を満たすと、前記装飾図柄の外郭形状を変形させる図柄変形手段を有する」ものであることを特徴とする。
【００２５】
手段９の構成によれば、図柄変形手段は、装飾図柄とキャラクタとの関係が所定の条件を満たした時、装飾図柄の外郭形状を変形させる。このため、遊技者は、装飾図柄の変形によって、キャラクタと装飾図柄との関係が、有利な状況あるいは不利な状況になったことを把握することが可能になる。例えば、キャラクタが装飾図柄に追いついた時、すなわち装飾図柄に接した時に装飾図柄を変形させるようにすれば、装飾図柄の変形によって、装飾図柄が捕捉される直前の場面であることを遊技者に認識させることができ、遊技者の期待感を膨らませることが可能になる。
【００２６】
手段１０：手段１〜手段９のいずれか一つの構成において、「前記演出表示制御手段は、前記装飾図柄と前記キャラクタとの関係が所定の条件を満たすと、前記キャラクタと前記装飾図柄との前後位置関係を変更する位置変更手段を有する」ものであることを特徴とする。
【００２７】
手段１０の構成によれば、位置変更手段は、装飾図柄とキャラクタとの関係が所定の条件を満たした時、前後方向における装飾図柄とキャラクタとの相対位置を変更する。例えば、装飾図柄及びキャラクタが前方（遊技者側）に動作しているように演出表示させる場合には、後方から追いかけるキャラクタが装飾図柄の後側に位置することになるが、所定の条件を満たした時は、キャラクタを装飾図柄の前側に表示させる。このため、遊技者は、キャラクタと装飾図柄との相対位置が変更されたことにより、キャラクタと装飾図柄との関係が、有利な状況あるいは不利な状況になったことを把握することが可能になる。例えば、キャラクタが装飾図柄を捕捉した時に相対位置を変更するようにすれば、それによって装飾図柄が捕捉された状態であることを明確に認識させることができ、遊技者に演出の達成感を感じさせることができる。
【００２８】
手段１１：手段１〜手段１０のいずれか一つの構成において、「前記演出表示制御手段は、前記装飾図柄と前記キャラクタとの関係が所定の条件を満たすと、前記装飾図柄を一旦消去させ前記キャラクタを拡大表示させるキャラクタ強調手段を有する」ものであることを特徴とする。
【００２９】
手段１１の構成によれば、キャラクタ強調手段は、装飾図柄とキャラクタとの関係が所定の条件を満たすと、表示手段から装飾図柄を一旦消去させ、キャラクタを表示手段に拡大表示させる。このため、表示手段全体を用いてキャラクタを拡大表示することが可能になり、キャラクタの動作や表情を分かりやすくするとともに、キャラクタの迫力を増大させることができる。
【００３０】
手段１２：手段１〜手段１１のいずれか一つの構成において、「前記演出表示制御手段は、前記装飾図柄と前記キャラクタとの関係が所定の条件を満たすと、前記表示手段の画面を少なくとも二つの表示領域に分割し、一方の表示領域で前記装飾図柄及び前記キャラクタによる演出表示を継続させ、他方の表示領域に前記キャラクタの少なくとも一部を拡大表示させる分割表示手段を有する」ものであることを特徴とする。
【００３１】
手段１２の構成によれば、分割表示手段は、装飾図柄とキャラクタとの関係が所定の条件を満たすと、表示手段の画面を少なくとも二つの表示領域に分割する。そして、一方の表示領域では、表示中の装飾図柄及びキャラクタによる演出表示を引き続き行い、他方の表示領域にはキャラクタの少なくとも一部を拡大表示する。このため、装飾図柄及びキャラクタによる演出表示を継続して視認させつつ、拡大表示されるキャラクタにより迫力のある演出を提供することができる。特に、演出表示が継続される領域と拡大表示される領域とが区別されていることから、両者の画像を混在させることなく、複数の画像を楽しませることができる。
【００３２】
手段１３：手段１〜手段１２のいずれか一つの構成において、「前記遊技状態検出手段によって検出された前記遊技状態に基づいて所定の抽選結果を抽選する抽選手段と、複数の前記図柄列を変動させるとともに、前記抽選手段の抽選結果に基づいて前記図柄列を順に停止させる装飾図柄変動制御手段とをさらに備え、前記演出表示制御手段は、前記キャラクタ及び前記装飾図柄による演出表示を、「前記複数の図柄列のうち最後に停止される最終停止図柄が停止する前の段階で、既に停止している図柄列の組合せが、特定の装飾図柄の組合せを充足する状態」（所謂「リーチ状態」）になった後に実行可能とする」ものであることを特徴とする。
【００３３】
手段１３の構成によれば、遊技状態の変化が遊技状態検出手段によって検出される。そして、例えば始動口に遊技球が入球する等、遊技状態が所定の条件を満たすと、複数の図柄列を変動するとともに、抽選手段によって抽選を行い、抽選結果に基づいて図柄列を順に停止する。一方、リーチ状態になった後には、装飾図柄及びキャラクタによる演出表示が可能となる。つまり、上述した演出表示が、「リーチ状態」になった後に表示可能となることから、図柄列の変動と演出表示とを関連させながら抽選を楽しむようになる。また、遊技者は、「リーチ状態」の発生によって有利遊技状態への可能性が高くなったことを認識し、その後の装飾図柄及びキャラクタによる演出表示によって有利遊技状態への可能性がさらに高まったことを認識するようになる。すなわち、装飾図柄及びキャラクタによる演出表示によって有利遊技状態への期待度を段階的に増加させながら遊技を楽しむことが可能となる。
【００３４】
手段１４：手段１３の構成において、「前記演出表示制御手段は、前記最終停止図柄を、前記装飾図柄として演出表示させる」ものであることを特徴とする。
【００３５】
手段１４の構成によれば、リーチ状態になった後の最終停止図柄が演出表示における装飾図柄となる。すなわち、大当り遊技状態に先立ってリーチ状態が発生したとき、最終停止図柄とキャラクタとが同一画面上に出現され、キャラクタが最終停止図柄を追いかける動作が演出表示される。したがって、最終停止図柄が特定の装飾図柄（大当りの図柄列の組合わせとなる装飾図柄）で停止されることを望む遊技者の願望と、キャラクタの動作目的、すなわち特定の装飾図柄を捕捉しようとする動作とが合致することとなり、キャラクタへの注意が一層引きつけられる。すなわち、キャラクタに対しての関心が高められ、キャラクタとの一体感を生じさせることができる。
【００３６】
手段１５：手段１３または手段１４の構成において、「前記抽選手段の抽選結果が所定結果である場合、遊技者に有利な有利遊技状態を発生させる有利遊技状態発生手段をさらに備え、前記キャラクタ及び前記装飾図柄による演出表示は、前記有利遊技状態が発生する可能性が高いことを示唆する」ものであることを特徴とする。
【００３７】
ここで、「有利遊技状態」とは、通常の遊技状態よりも遊技者に有利となる状態を意味ものであり、以下のように種々の状態を例示できる。
【００３８】
（１）パチンコ機等の遊技機において、開閉駆動される入賞口を、所定回数繰返し開閉させたり、所定時間、あるいは遊技球が所定個数入賞するまで継続して開放させて、遊技球が多量に入賞口に入賞し易くした状態（所謂「大当り状態」）。
【００３９】
（２）パチンコ等の遊技機において、大当り状態が発生する確率を通常よりも高確率とした状態、所謂「確率変動状態」。
【００４０】
（３）パチンコ機等の遊技機において、遊技球の入賞や通過により大当り状態を発生させるか否かの抽選を行う抽選用の入球装置を、通常よりも遊技球が入球し易い状態とし、大当りの抽選が通常よりも頻繁に行われるようにした状態、所謂「時間短縮状態」。
【００４１】
（４）スロットマシーン等の遊技機において、所定ゲームの間、遊技媒体であるメダルの払出しを行う絵柄にてドラムが停止され易くした状態、所謂「ボーナスゲーム状態」。
【００４２】
（５）スロットマシーン等の遊技機において、ボーナスゲーム状態が発生する確率を通常よりも高確率とした状態、所謂「確率変動状態」。
【００４３】
手段１５の構成によれば、上記の演出表示は、有利遊技状態になる可能性が高いことを示唆するものであることから、遊技者は演出表示が実行されることを願うようになる。つまり、演出表示の発生と遊技状態とを関連させながら、演出表示の発生を期待するようになり、装飾図柄とキャラクタとによる演出表示を一層楽しむことが可能となる。
【００４４】
手段１６：「遊技者の操作に応じて変化する遊技状態を検出する遊技状態検出手段と、
特別図柄を表示するための特別図柄表示器と、
前記遊技状態検出手段によって検出された前記遊技状態に基づいて所定の抽選結果を抽選する抽選手段、前記特別図柄表示器において前記特別図柄を変動させるとともに、前記抽選手段の抽選結果に基づいて前記特別図柄の変動を停止させる特別図柄変動制御手段、及び前記抽選手段の抽選結果が所定結果である場合、遊技者に有利な有利遊技状態を発生させる有利遊技状態発生手段を有する主基板と、
複数の装飾図柄からなる図柄列、キャラクタ、及び背景を表示するための演出表示手段と、
該演出表示手段において複数の前記図柄列を変動させるとともに、前記主基板から送信される制御コマンドを基に前記図柄列を順に停止させる装飾図柄変動制御手段、及び少なくとも一つの前記装飾図柄を前記キャラクタの前側または後側に表示させた状態で前記背景を漸次変化させるとともに、前記装飾図柄を前記キャラクタに対し相対的に左右方向へ繰り返し変位させ、さらに前記装飾図柄の位置に応じて前記キャラクタの向きを変化させる演出表示制御手段を有する周辺基板と
を具備する」ものであることを特徴とする。
【００４５】
手段１６の構成によれば、制御の内容が、主基板と周辺基板とで分担され、主基板では、遊技状態に基づいて所定の抽選結果を抽選するとともに、特別図柄表示器において特別図柄を変動させ抽選結果に基づいて特別図柄の変動を停止させる処理が実行される。また、抽選結果が所定結果である場合、遊技者に有利な有利遊技状態を発生させる処理も行われる。一方、周辺基板では、演出表示手段に複数の図柄列を変動させ、主基板から送信される制御コマンドを基に図柄列を順に停止させる処理と、同演出表示手段において装飾図柄とキャラクタとによる演出表示を行わせる処理とが実行される。このように、上述の演出表示を周辺基板において行わせることにより、主基板の負担を大きくすることなく、多彩な演出を容易に実現させることが可能になる。
【００４６】
手段１７：手段１〜手段１６のいずれか一つの構成において、前記遊技機は、パチンコ遊技機であることを特徴とする。パチンコ遊技機とは、操作ハンドルの操作に対応して発射装置から遊技球を発射し、多数の障害釘、センター役物、始動口、大入賞口、及び表示手段等が組み込まれた遊技領域に遊技球を導くとともに、始動口や大入賞口への入賞に伴い所定数の遊技球を賞球として払い出すものである。また、始動口への入賞を契機として特別図柄表示手段において特別図柄を変動させるとともに、内部的に行われる抽選結果に応じて図柄の変動を停止させるものである。また、特別図柄の変動中、複数の装飾図柄からなる装飾図柄列を変動表示させるとともに、所定のタイミングでキャラクタ等を出現させる演出表示手段が設けられる場合もある。
【００４７】
手段１７によると、パチンコ遊技機において、手段１〜手段１６までのいずれかの作用効果を奏することができる。
【００４８】
手段１８：手段１〜手段１６のいずれか一つの構成において、前記遊技機は、停止操作機能付きスロットマシーンであることを特徴とする。停止操作機能付きスロットマシーンとは、遊技媒体としてメダルを使用し、メダルの投入後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、遊技者に有利な特別有利状態としてメダルを払い出すものである。
【００４９】
手段１８によると、停止操作機能付きスロットマシーンにおいて、手段１〜手段１６までのいずれかの作用効果を奏することができる。
【００５０】
手段１９：手段１〜手段１６のいずれか一つの構成において、前記遊技機は、パチンコ遊技機と停止操作機能付きスロットマシーンとを融合させてなる遊技機であることを特徴とする。ここで、「パチンコ遊技機と停止操作機能付きスロットマシーンとを融合させてなる遊技機」とは、複数個（例えば５個）の遊技球を１単位として投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、遊技者に有利な特別有利状態として遊技球を払い出すものである。
【００５１】
手段１９によると、パチンコ遊技機と停止操作機能付きスロットマシーンとを融合させてなる遊技機において、手段１〜手段１６までのいずれかの作用効果を奏することができる。
【発明の効果】
【００５２】
このように、本発明の遊技機では、躍動感のある装飾図柄及びキャラクタの動作によって臨場感のある演出表示を行わせることができ、しかも装飾図柄及びキャラクタの形状や動きをはっきりと視認させることができる。したがって、キャラクタ等に対する遊技者の関心を高め、演出表示における視覚的な面白みを向上させることができる。
【発明を実施するための最良の形態】
【００５３】
以下、本発明の一実施形態であるパチンコ遊技機（以下、単に「パチンコ機」という）を、図面に基づいて詳細に説明する。
［パチンコ機の全体構成について］  図１に基づき説明する。
図１はパチンコ機の外枠の一側に本体枠が開かれその本体枠の一側に前面枠が開かれた状態を示す斜視図である。なお、図１においては遊技領域における装飾部材が省略された図を示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００５４】
［本体枠の構成について］  図２及び図４に基づき説明する。
図２はパチンコ機１の前側全体を示す正面図であり、図４はパチンコ機１の本体枠３と遊技盤５とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図１参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【００５５】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００５６】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。
【００５７】
［施錠装置の構成について］  図１及び図４に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５と、を備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【００５８】
［遊技盤装着枠及び遊技盤の構成について］  図１、図３、図４、及び図５に基づき説明する。
図３は遊技領域３７の構成を示す拡大正面図であり、図５はパチンコ機１の後側全体を示す背面図である。
図１及び図４に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に形成されている（図１１参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、合成樹脂製の前構成部材７９が装着されている。
【００５９】
図３に示すように、遊技領域３７内には多数の障害釘（参照符号なし）が所定のゲージ配列をなして設けられているほか、その途中の適宜位置に風車９０が設けられている。遊技領域３７のほぼ中央位置には、センター役物９１が配設されており、このセンター役物９１のデザインによってパチンコ機１の機種やゲームコンセプト等が特徴付けられている。
【００６０】
センター役物９１は全体として額縁状の装飾体から構成されており、その上縁部にはキャラクタの頭部をデザインした、キャラクタ体９２が一体的に取り付けられている。なお、このキャラクタ体９２は、旋回可能な可動役物として機能している。さらに、キャラクタ体９２の左右には別のキャラクタをデザインした装飾体９３が配設されている。
【００６１】
また、センター役物９１の上縁部または左右側縁部には、図示しないワープ入口とともにワープ通路が形成されており、遊技盤面に沿って流下する遊技球がワープ入口に入り込むと、ワープ通路を通じてセンター役物９１の内側に取り込まれるようになっている。
【００６２】
センター役物９１の内側には、その下縁部に球受け棚９４（ステージとも称する）が形成されており、この球受け棚９４は前後方向に一定の奥行きを有している。ワープ通路を通って取り込まれた遊技球はセンター役物９１の内側へ放出され、球受け棚９４に誘導される。球受け棚９４はその上面にて遊技球を転動させ、その動きにいろいろな変化を与えて遊技に面白みを付加する。
【００６３】
また、センター役物９１の下縁部には、その中央位置に球誘導路９５が形成されており、この球誘導路９５への入口（図示しない）は球受け棚９４の上面に形成されている。球受け棚９４から球誘導路９５の入口に落下した遊技球は、そのまま球誘導路９５を通って下方に案内される。
【００６４】
一方、球誘導路９５の出口は正面に向けて開口しており、この出口から放出された遊技球は、ほぼ真下に向かって落下する。遊技領域３７には、球誘導路９５の直ぐ下方位置に入球装置９６が配置されており、この入球装置９６に遊技球が入球すると始動入賞となる。したがって、球誘導路９５から放出された遊技球は、相当高い確率で始動入賞することができるものとなっている。入球装置９６は左右一対の可動片９７を有しており、これら可動片９７を左右に拡開させて入球確率を高くすることが可能となっている。
【００６５】
また遊技領域３７には、上記の入球装置９６のさらに下方位置にアタッカ装置９８が配設されており、このアタッカ装置９８は開閉部材９９を前後方向に開閉動作させることにより大入賞口を開閉させる。
【００６６】
また、センター役物９１の下縁部には、特別図柄表示器（詳細は後述する）として機能する四つのＬＥＤ１１０と、抽選の保留状態を示す四つのＬＥＤ（保留球ランプ）１１１とが設けられている。四つの保留球ランプ１１１は、「大当り」の抽選において、保留回数分（最大４回）だけ点灯するようになっている。また、これらの下方には、始動ゲート口１１３への遊技球７の通過による抽選結果を表示する普通図柄表示器１１２ａ、及び抽選状態を表示する状態表示器１１２ｂ等が設けられている。
【００６７】
その他、遊技領域３７には始動ゲート口１１３や一般入賞口１１４等が配設されている。また、センター役物９１の内側には演出表示装置１１５が配設されており、この演出表示装置１１５では、例えば動画や映像等の画像、或いは可動部材の動作等による演出表示が行われる。なお、演出表示装置１１５としては、液晶表示装置、ＥＬ表示装置、プラズマ表示装置、及びＣＲＴ等の表示装置を例示することができる。演出表示装置１１５の表示面はセンター役物９１の後側においてその開口窓に臨んで装着されており、センター役物９１は、遊技盤５の中央部に貫設された組付孔に嵌込まれ、センター役物９１の後部及び演出表示装置１１５の表示装置制御基板１１６（図１０参照）を有する表示装置制御基板ボックス１１７は遊技盤５の後側に突出して配設されている。ここで、演出表示装置１１５が本発明の表示手段に相当する。   
【００６８】
一方、図５に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台１１８が設けられている。このボックス装着台１１８には、音声制御基板、ランプ制御基板等の副制御基板１１９が収納された副制御基板ボックス１３０が装着され、その副制御基板ボックス１３０の後側に重ね合わされた状態で、主制御基板１３１が収納された主制御基板ボックス１３２が装着されている。さらに、遊技盤５の後側に対しボックス装着台１１８、副制御基板ボックス１３０及び主制御基板ボックス１３２がそれぞれ装着された状態において、本体枠３の遊技盤装着枠１２の前方から遊技盤５を嵌込んで装着できるように、遊技盤５の外郭より外側にはみ出すことなくボックス装着台１１８、副制御基板ボックス１３０及び主制御基板ボックス１３２が配置されている。
【００６９】
［本体枠の機構装着体、球タンク及びタンクレールの構成について］  図８及び図９に基づき説明する。
図８はパチンコ機１の本体枠３に各種部材が組み付けられた状態を斜め右上後方から示す斜視図であり、図９は本体枠３単体を斜め右上後方から示す斜視図である。
本体枠３の機構装着体１３には、タンク装着部１３３、レール装着部１３４、及び払出装置装着部１３５等がそれぞれ形成され、タンク装着部１３３には球タンク１３６が装着されている。球タンク１３６は、透明な合成樹脂材よりなり、島設備から供給される多数の遊技球が貯留可能な上方に開口する箱形状に形成されている。そして、球タンク１３６の遊技球の貯留状態が球タンク１３６の後側壁を透して視認可能となっている。また、球タンク１３６の底板部１３７の後側隅部には遊技球を放出する放出口１３８が形成されるとともに、底板部１３７は放出口１３８に向けて下傾する傾斜面に形成されている。
【００７０】
本体枠３の機構装着体１３には、そのタンク装着部１３３に下方に接近してレール装着部１３４が一体に形成され、そのレール装着部１３４にレール構成部材１３９が装着されることでタンクレール１５０が構成されるようになっている。すなわち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図９に向かって左端）から他端（図９に向かって右端）に向けて下傾する傾斜状のレール棚１５５が形成されている。そして、レール棚１５５の横方向に延びる上向き面をレール受け部１５８としている。
【００７１】
レール装着部１３４に装着されてタンクレール１５０を構成するレール構成部材１３９は、レール装着部１３４の前壁部１５１との間にレール通路を構成する後壁部１５２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１３９は、レール装着部１３４に対し適宜の取付手段によって装着され、これによって、前後複数列のレール通路を備えたタンクレール１５０が構成されている。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。また、この実施形態において、レール構成部材１３９は、透明な合成樹脂材より形成され、これによって、レール通路内の遊技球の流れ状態が、レール構成部材１３９の後壁部１５２を透して視認可能となっている。
【００７２】
タンクレール１５０（レール装着部１３４）の前壁部１５１は、遊技盤５の後側に突出する装備品（例えばセンター役物９１）における後部の上端部との干渉を避けるため第１空間部を隔てた状態で設けられている。また、この実施形態において、本体枠３の後端部となるレール棚１５５の後端と、タンクレール１５０の後壁部は、球タンク１３６の後側壁と略同一面をなしている。言い換えると、球タンク１３６の後壁部に対しタンクレール１５０の後壁部が略同一面となる位置までタンクレール１５０が遊技盤５の後面より後方に離隔して配置されている。これによって、遊技盤５の後側とタンクレール１５０の前壁部１５１との間にセンター役物９１の後部との干渉を避けるための第１空間部が設けられるようになっている。
【００７３】
また、タンクレール１５０の上方には、レール通路を流れる遊技球を上下に重なることなく整列させる整流体１５６がその上部において軸１５７を中心として揺動可能に装着されている。この整流体１５６には、その中央部から下部において錘が設けられている。
【００７４】
［払出装置装着部及び球払出装置の構成について］  図８及び図９に基づき説明する。
本体枠３の機構装着体１３の片側寄りの上下方向には、次に述べる球払出装置（球払出ユニット）１７０に対応する縦長の払出装置装着部１３５が形成されている。払出装置装着部１３５は、後方に開口部をもつ凹状に形成されている。また、払出装置装着部１３５の段差状をなす奥壁部（図示しない）の所定位置には、球払出装置１７０の払出用モータ１７２（図４参照）が突出可能な開口部１７３が形成されている。
【００７５】
払出装置装着部１３５の凹部に球払出装置１７０が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１３５の周壁部後端、レール棚１５５の後端、球タンク１３６、タンクレール１５０及び球払出装置１７０のそれぞれの後面は略同一面をなしている。
【００７６】
球払出装置１７０は、払出装置装着部１３５の凹部と略同じ大きさの縦長のボックス形状をなし、払い出しに関する各種部品が装着されることでユニット化されている。なお、球払出装置１７０は、払出装置装着部１３５の凹部の後方開口部から嵌込まれて適宜の取付手段（例えば、弾性クリップ、係止爪、ビス等の取付手段）によって装着されるようになっている。
【００７７】
また、図示しないが、球払出装置１７０は、タンクレール１５０におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【００７８】
［本体枠の後側下部の装備について］  図４及び図５に基づき説明する。
本体枠３の前枠体１１の後側において、遊技盤装着枠１２よりも下方に位置する前枠体１１の後下部領域の片側（図５に向かって左側）には、発射レール１９の下傾端部の発射位置に送られた遊技球を発射するための発射ハンマー（図示しない）、その発射ハンマーを作動する発射モータ１９２等が取付基板１９３に組み付けられてユニット化された発射装置ユニット１９４が装着されている。また、前枠体１１の後下部領域の略中央部には、電源基板１９５を収容する電源基板ボックス１９６が装着され、その電源基板ボックス１９６の後側に重ね合わされた状態で払出制御基板１９７を収容する払出制御基板ボックス１９８が装着されている。払出制御基板１９７は、遊技球を払い出す数を記憶するＲＡＭを備え、主制御基板１３１から送信される払出用信号に従って遊技球を払い出す制御信号を中継用回路基板（図示しない）に伝達して払出用モータ１７２を作動制御するようになっている。
【００７９】
［後カバー体の構成について］  図５及び図６に基づき説明する。
図６はパチンコ機１の後側全体を右上後方から示す斜視図である。
遊技盤５後面に配置された表示装置制御基板ボックス１１７（図１１参照）及び主制御基板ボックス１３２の後端部は機構装着体１３の中央部に開口された窓開口部に向けて突出している。そして、機構装着体１３の窓開口部の一側壁を構成する側壁部と他側壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【００８０】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、機構装着体１３の側壁部の上下及び中間の計３箇所に形成されたヒンジ体２１４のヒンジ孔の上方からそれぞれ着脱可能に嵌込まれるヒンジピン２１５を下向きに有するヒンジ体２１６が一体に形成されている。また、後カバー体２１０の周壁部２１３のうち、他側の壁部２１３ｂには、払出装置装着部１３５の片側壁に形成された係止孔に弾性的に係合可能な係止爪を有する弾性閉止体２１７が一体に形成されている。
【００８１】
すなわち、後カバー体２１０は、その上下及び中間のヒンジ体２１６の各ヒンジピン２１５が機構装着体１３の側壁部のヒンジ体２１４のヒンジ孔の上方からそれぞれ嵌込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、後カバー体２１０によって、遊技盤５後面の表示装置制御基板ボックス１１７（図１１参照）全体及び主制御基板ボックス１３２の略中間部から上端にわたる部分が後カバー体２１０によって覆われるようになっている。これによって、主制御基板ボックス１３２の上部に露出された主制御基板１３１の基板コネクタ（主として表示装置制御基板１１６と接続するための基板コネクタ）が後方から視認不能に隠蔽されている。
【００８２】
また、主制御基板ボックス１３２の略中間部から下端にわたる部分は後カバー体２１０によって覆われることなく露出されている。そして、主制御基板ボックス１３２の下部には、その主制御基板１３１上に配置された検査用コネクタ２１８が露出されており、後カバー体２１０が閉じられた状態で主制御基板１３１上の検査用コネクタ２１８に基板検査装置（図示しない）を接続して検査可能となっている。
【００８３】
後カバー体２１０には、多数の放熱孔２３０、２３１、２３２、２３３が貫設されており、これら多数の放熱孔２３０、２３１、２３２、２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され、後壁部２１２の下部には多数の長円形、楕円形等の放熱孔２３２と所定数の横長四角形状の放熱孔２３３が貫設されている。
【００８４】
また、横長四角形状の放熱孔２３３は、主制御基板ボックス１３２の封印ねじ（封印部材）によって封印される複数の並列状の封印部２３５の列の大きさ及び配設位置に対応する大きさ及び位置に貫設されている。これによって、不透明な後カバー体２１０が閉じられた状態であっても、主制御基板ボックス１３２の複数の並列状の封印部２３５が放熱孔２３３の部分において視認可能に露出される。このため、後カバー体２１０が閉じられた状態であっても、主制御基板ボックス１３２の封印部２３５の封印状態を容易に視認することができる。また、不透明な合成樹脂材は、透明な合成樹脂材と比べ、リサイクル使用される合成樹脂材を材料として用いることが容易であるため、後カバー体２１０を安価に製作することができる。
【００８５】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【００８６】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機を運搬・保管する際に電源コードがぶらついて邪魔になったり、異物に引っ掛かる不具合を防止することができる。
【００８７】
［本体枠の後側下部の下皿用球誘導体等の構成について］  図２及び図７に基づき説明する。
図７は、図６に示すパチンコ機１の斜視図から後ろカバー２１０及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体２５３が装着されている。この下皿用球誘導体２５３は、球払出装置１７０の賞球及び貸球用球通路から上皿連絡路（図示しない）を経て上皿５１に払い出された遊技球が満杯になったときに、上皿連絡路の遊技球を下皿３１に導くためのものである。
【００８８】
なお、この実施形態において、下皿用球誘導体２５３の後壁外面には、インタフェース基板２５２を収納している基板ボックス２５４が装着されている。なお、インタフェース基板２５２は、パチンコ機１に隣接して設置される球貸機と払出制御基板１９７との間に介在され、球貸に関する信号を球貸機と払出制御基板１９７との間で送受信可能に電気的に接続するようになっている。
【００８９】
［特別図柄表示器の構成について］  図３に基づき説明する。
本実施形態では、センター役物９１の下縁部のうち、左側に４つのＬＥＤ１１０が配列されており、これらＬＥＤ１１０の配列が特別図柄表示器として機能している。また、その右側にある４つのＬＥＤ１１１の配列は、保留球ランプとなっている。
【００９０】
本実施形態において、特別図柄表示器の機能はＬＥＤ１１０の点灯・消灯によって実現することができる。例えば、始動入賞を契機として４つのＬＥＤ１１０をいろいろなパターンで点滅させることにより、特別図柄の変動状態を表示する。そして、一定の変動時間が終了すると、４つのＬＥＤ１１０の点灯・消灯表示パターンによって特別図柄の確定した停止状態を表示する。これにより、抽選が行われると、その結果情報がＬＥＤ１１０の点灯・消灯によって報知される。なおＬＥＤ１１０の点灯・消灯による特別図柄の変動表示および停止表示の制御は、主制御基板１３１により行われる。
【００９１】
具体的には、個々のＬＥＤ１１０は１色（例えば赤色）の発光タイプであり、各ＬＥＤ１１０は「消灯」、及び「点灯」の２通りに表示パターンを切り替えることができる。したがって、４つのＬＥＤ１１０を配列した場合の点灯・消灯表示パターンは、全部で１６通り（２４＝１６）のものを用意することができる。なお、ここでは説明の便宜のために１色だけとしているが、ＬＥＤ１１０の点灯色は２色以上であってもよい。また、ＬＥＤ１１０の配置は１箇所にまとまっている必要はなく、ばらばらに配置されていてもよいし、特に盤面上に配置されている必要もない。あるいは、特別図柄を５つ以上のＬＥＤによって表示してもよいし、７セグメントＬＥＤを用いて表示してもよい。
【００９２】
一方で、本実施形態のパチンコ機１では、遊技者に利益が付与される態様として２つの大当り態様が用意されており、これらは（１）「通常（非確変）大当り」、（２）「確変大当り」に区別される。
（１）「通常（非確変）大当り」は、例えば最大３０秒間にわたってアタッカ装置９８を一定パターンで開閉させるラウンド動作を１５ラウンドまで繰り返すものであり、このようなラウンド動作の繰り返しは「大当り遊技」と称されている。遊技者は、大当り遊技の間に遊技球を大入賞口に入賞させることで、多くの賞球を獲得することができる。なお、各ラウンド動作は３０秒間が経過するか、１０個の入賞球がカウントされるかのいずれかの条件を満たすと終了する。また大当り遊技は、ラウンド動作が１５回終わると終了となる。
【００９３】
（２）「確変大当り」は、上記（１）と同様の大当り遊技を可能とするものであるが、大当り遊技の終了後、次回大当りの抽選確率を通常時よりも高く設定（例えば、通常の大当り確率が３２０分の１のところ、５倍の６４分の１に変更）する特典が付加される。このため遊技者が確変大当りを引き当てると、次の大当り確率が高くなって大当りを連続的に引き当てる（いわゆる連荘）ことが可能となる。
【００９４】
なお、以上の（１）及び（２）でいう具体的な数値は、本発明の実施において最良のものである。その上で、これら数値については各種の変更が可能であり、最良の数値によって限定されることはない。
【００９５】
また、上記（２）の「確変大当り」によって確率変動状態（高確率状態）になると、毎回の始動入賞を契機として確率変動状態の維持抽選（転落抽選）が行われるものとしてもよい。維持抽選は一定確率で行われ、この維持抽選で落選すると、内部的に高確率状態から低確率状態（通常確率）へ引き戻される処理が行われる。
【００９６】
［主基板及び周辺基板の機能的構成について］  図１２に基づき説明する。
図１２は制御構成を概略的に示すブロック図である。
パチンコ機１の制御は、大きく分けて主基板３１０のグループと周辺基板３１１のグループとで分担されており、このうち主基板３１０のグループが遊技動作（入賞検出や当り判定、特別図柄表示、賞球払出等）を制御しており、周辺基板３１１のグループが演出動作（発光装飾や音響出力、液晶表示等）を制御している。
【００９７】
主基板３１０は、主制御基板１３１と払出制御基板１９７とから構成されている。主制御基板１３１は、中央演算装置としてのＣＰＵ３１４、読み出し専用メモリとしてのＲＯＭ３１５、読み書き可能メモリとしてのＲＡＭ３１６を備えている。ＣＰＵ３１４は、ＲＯＭ３１５に格納されている制御プログラムを実行することによりパチンコ機１で行われる各種遊技を制御したり、周辺基板３１１や払出制御基板１９７に出力するコマンド信号を作成したりする。ＲＡＭ３１６には、主制御基板１３１で実行される種々の処理において生成される各種データや入力信号等の情報が一時的に記憶される。主制御基板１３１には、ゲートセンサ３１７、始動口センサ３１８、カウントセンサ３１９、Ｖ入賞センサ３３０等からの検出信号が入力される。一方、主制御基板１３１は、ソレノイド３３１、特別図柄表示器３３２、普通図柄表示器１１２ａ等へ駆動信号を出力する。また、払出制御基板１９７は、中央演算装置としてのＣＰＵ３３３、読み出し専用メモリとしてのＲＯＭ３３４、読み書き可能メモリとしてのＲＡＭ３３５を備えている。そして、払出制御基板１９７は、主制御基板１３１から入力したコマンド信号を処理し、球払出装置１７０に駆動信号を出力する。これにより、球払出装置１７０は、駆動信号に従って遊技球を払い出す。
【００９８】
主制御基板１３１と払出制御基板１９７との間では、それぞれの入出力インタフェースを介して双方向通信が実施されており、例えば主制御基板１３１が賞球コマンドを送信すると、これに応えて払出制御基板１９７から主制御基板１３１にＡＣＫ信号が返される。
【００９９】
一方、周辺基板３１１には、サブ統合基板３３６のほかに例えば複数の電飾制御基板３３７，３３８や波形制御基板３３９等が含まれる。上記の主制御基板１３１とサブ統合基板３３６との間では、それぞれの入出力インタフェースと入力インタフェースとの間で一方向だけの通信が行われており、主制御基板１３１からサブ統合基板３３６へのコマンドの送信はあっても、その逆は行われない。
【０１００】
サブ統合基板３３６もまた、ＣＰＵ３５０をはじめＲＯＭ３５１やＲＡＭ３５２等の電子部品を有しており、これら電子部品によって所定の演出制御プログラムを実行することができる。サブ統合基板３３６とその他の電飾制御基板３３７，３３８や波形制御基板３３９との間では、それぞれの入出力インタフェースとの間で双方向に通信が行われる。１つ目の電飾制御基板３３７には主に保留球ランプ１１１と、サイド装飾装置５２等を含む装飾ランプ３５３とが接続されており、サブ統合基板３３６から電飾制御基板３３７に対して保留球ランプ１１１や装飾ランプ３５３の点灯信号が送信されると、これを受けて電飾制御基板３３７が各ランプ１１１，３５３を点灯させる処理を行う。２つ目の電飾制御基板３３８には演出表示装置１１５とともに演出ランプ３５４が接続されている。例えばサブ統合基板３３６から演出表示装置１１５に対する表示コマンドが電飾制御基板３３８に送信されると、これを受けて電飾制御基板３３８は実際に演出表示装置１１５を作動させる処理を行う。また、図示していないが、これ以外にも、例えばキャラクタ体６２等の可動体を駆動させるためのモータまたはソレノイド等の駆動部材が電飾制御基板３３７，３３８等に接続されている。
【０１０１】
波形制御基板３３９は、音響出力としての可聴音波のほか、不可聴である超音波等の波形信号を生成・送受信する処理を実行している。例えば、サブ統合基板３３６から音響出力コマンドが波形制御基板３３９に送信されると、これを受けて波形制御基板３３９は上記のスピーカ１８，５７を駆動する処理を行う。このほかにも、波形制御基板３３９には超音波送受信装置３５６が接続されており、この超音波送受信装置３５６は、複数の台間で超音波による通信を可能とする。通常、ホールの島設備には複数台のパチンコ機１が並べて設置されるが、超音波送受信装置３５６を装備しているパチンコ機１同士の間では、相互に超音波通信が可能となる。この通信機能を用いて、複数のパチンコ機１で演出動作をシンクロナイズさせたり、特定の台間で遊技情報の交換を行ったりすることができる。
【０１０２】
なお、電飾制御基板３３７，３３８、及び波形制御基板３３９にも、それぞれ中央演算装置としてのＣＰＵ３５７，３５８，３５９、読み出し専用メモリとしてのＲＯＭ３７０，３７１，３７２、及び読み書き可能メモリとしてのＲＡＭ３７３，３７４，３７５を備えている。
【０１０３】
次に、主制御基板１３１（特にＣＰＵ３１４）で実行される制御処理の例について説明する。
【０１０４】
［始動入賞処理について］  図１３に基づき説明する。
図１３は始動入賞処理のルーチンを示している。
この始動入賞処理では、遊技中に始動入賞が有るか否かが判断される（ステップＳ１０１）。具体的には、上記の入球装置９６に対応する始動口センサ３１８から検出信号が入力されると、始動入賞有りと判断され、一方検出信号の入力がなければ、始動入賞は無いものと判断される。
【０１０５】
始動入賞が有りと判断された場合（ステップＳ１０１においてＹＥＳ）、次に始動保留数が最大の４より少ないか否かが判断される（ステップＳ１０２）。このとき既に始動保留数が４に達していれば（ＮＯ）、そのまま始動入賞処理のルーチンがリターンされる。一方、始動保留数が４より少なければ（ＹＥＳ）、次に保留格納処理が行われる（ステップＳ１０３）。この保留格納処理では、例えばＲＡＭ３１６内に確保されている保留数カウンタに「１」が加算され、合わせて保留球ランプ（ＬＥＤ）１１１の点灯個数が１つ増加される。
【０１０６】
また、保留格納処理では、合わせて乱数値の取得が行われる。このとき取得される乱数値には、例えば大当り判別用乱数、大当り図柄用乱数、可変変動用乱数（可変変動カウンタ）、及び演出表示パターン乱数等が含まれている。このうち大当り判定用乱数は、大当りであるか否かを決定するための乱数である。次の大当り図柄用乱数は、大当り判定用乱数によって大当りと判別された場合に使用されるものであり、具体的には、特別図柄表示器３３２によって停止表示される表示パターン（四つのＬＥＤ１１０における点灯状態の組合わせパターン）を特定するための乱数である。そして可変変動用乱数（可変変動カウンタ）は、特別図柄表示器３３２による図柄の変動時間を可変させるための乱数である。また、演出表示パターン乱数は、演出表示装置１１５に表示される演出表示の変動表示パターンを特定するための乱数である。以上の各乱数値が取得され、これらが例えばＲＡＭ３１６に格納されると、保留格納処理を終えて本ルーチンがリターンされる。
【０１０７】
［遊技作動処理について］  図１４に基づき説明する。
図１４は始動入賞に伴う遊技作動処理のルーチンを示している。
この遊技作動処理では、最初に始動保留が有るか否かが判断される（ステップＳ２０１）。具体的には、保留数カウンタの数値が０でない場合、始動保留が有ると判断され（ＹＥＳ）、次に特別図柄表示器３３２における特別図柄（点灯状態）が未変動状態か否かが判断される（ステップＳ２０２）。このとき特別図柄表示器３３２にて未だ変動表示が開始されていなければ（ＹＥＳ）、次に保留シフト処理が実行される（ステップＳ２０３）。
【０１０８】
保留シフト処理では、保留数カウンタの値が「１」だけ減算されるとともに、ＲＡＭ３１６の保留格納領域に記憶されている各乱数値の内容をシフトする処理が行われる。そして、これに続いて特図変動設定処理が実行され（ステップＳ２０４）、ここでは特別図柄の変動時間の設定や、変動停止時の表示パターンが設定される。なお、特図変動設定処理の内容については、さらに別のフローチャート（図１５，図１６）を用いて詳しく後述する。
【０１０９】
特図変動設定処理（ステップＳ２０４）が終了すると、次に情報出力処理（ステップＳ２０５）が実行され、ここでは主制御基板１３１からサブ統合基板３３６に対して制御情報コマンドの生成・送信が行われる。サブ統合基板３３６は、受信した制御情報コマンドに基づいて主制御基板１３１の制御情報（始動入賞・保留の有無、特別図柄の変動・停止表示態様、当り判定結果、確率変動の有無、及び演出画像の変動パターン等）を解釈し、所定の演出動作を制御する。
【０１１０】
図１４の遊技作動処理では、最後に当り判定処理（ステップＳ２０６）が実行される。なお、遊技作動処理の開始時に保留数カウンタの値が０であったり（ステップＳ２０１においてＮＯ）、保留数カウンタの値が０でなくとも特別図柄表示器３３２が変動中であったり（ステップＳ２０２においてＮＯ）した場合は、いずれも保留シフト処理（ステップＳ２０３）、及び特図変動設定処理（ステップＳ２０４）を迂回して情報出力処理（ステップＳ２０５）及び当り判定処理（ステップＳ２０６）が実行される。
【０１１１】
当り判定処理（ステップＳ２０６）では、特別図柄の変動開始時にセットされた当りフラグを参照し、当りフラグがセットされていればさらに別の処理（図１７）を実行する。
【０１１２】
［特図変動設定処理（ステップＳ２０４）の詳細について］  図１５及び図１６に基づき説明する。
図１５は、上記の特図変動設定処理に含まれる特図変動設定処理Ａの内容を示し、図１６は特図変動設定処理Ｂの内容を示している。
この特図変動設定処理Ａでは主に、抽選結果によって特別図柄表示器３３２による変動時間の設定や停止時の表示パターンの選択が行われる。具体的には、既に取得されている大当り判定用乱数に基づいて抽選の結果が判断され（ステップＳ３０１）、当選（大当り）であった場合（ＹＥＳ）は当り時変動設定処理（ステップＳ３０２）が実行される。なお、ここでいう「当選」は、上記（１）通常大当り、または（２）確変大当りのいずれかに該当していることを意味する。
【０１１３】
これに対し、抽選の結果が外れ、つまり、（１）及び（２）のいずれの当りにも該当してないと判断された場合（ＮＯ）、既に取得されている可変変動用乱数（可変変動カウンタ）の値が所定値（例えば１０２４）と比較される（ステップＳ３０３）。可変変動用乱数は例えば０〜６５５３５の範囲内で取得されており、この乱数値が１０２３未満であれば（ＹＥＳ）、可変変動設定処理（ステップＳ３０４）が実行される。逆に、可変変動用乱数の値が１０２４以上であれば（ＮＯ）、ステップＳ３０５またはステップＳ３０６の各判断を経て変動タイマがセットされる。変動タイマは、特別図柄表示器３３２による変動時間を設定するためのタイマであり、具体的には、現在の始動保留数が「０」〜「２」であれば（ステップＳ３０５においてＹＥＳ）、所定の変動タイマが比較的長めの１０秒にセットされる（ステップＳ３０７）。同様に、始動保留数が「３」であれば（ステップＳ３０６においてＹＥＳ）、変動タイマが比較的中程度の８秒にセットされ（ステップＳ３０８）、そして始動保留数が「４」であれば（ステップＳ３０６においてＮＯ）、変動タイマが比較的短めの６秒にセットされる（ステップＳ３０９）（いわゆる保留時短）。いずれにしても、変動タイマがセットされると、続いて特別図柄の停止パターンが選択される（ステップＳ３１０〜Ｓ３１２）。停止パターンは、四つのＬＥＤ１１０における点灯状態の組合わせを、いずれの当り態様にも該当しないパターンの中から適宜選択する。
【０１１４】
以上の特図変動設定処理Ａをまとめると、抽選結果がいずれかの当りに該当している場合は、別の当り時変動設定処理（ステップＳ３０２）が実行された後に特別図柄の変動表示が開始される（ステップＳ３１３）。一方、抽選結果がいずれの当りにも該当しない（外れ）場合は、取得済みの可変変動用乱数（可変変動カウンタ）の値によって６４分の１の振り分け率で別の可変変動設定処理（ステップＳ３０４）が実行されるが、それ以外（６４分の６３）の場合は始動保留数に応じて変動タイマの時間が３段階に設定された後に特別図柄の変動表示（ステップＳ３１３）が開始されることとなる。
【０１１５】
ここで、ステップＳ３０４の可変変動設定処理は、「外れリーチ変動」の考え方に基づくものである。すなわち、基本的に抽選で外れた場合は特別図柄の変動時間が始動保留数に応じて次第に短縮されるが（ステップＳ３０７〜Ｓ３０９）、外れの場合であっても、ときには始動保留数に関係なく変動時間を長短に変更したり、特別図柄の停止パターンを変更したりすることで、あからさまに外れ変動であることを遊技者に気付かせにくくするものである。なお、この「外れ」を通常の「外れ」と区別するため、「特殊外れ」と称している。この可変変動設定処理では、例えば以下の表１で表されるテーブルによって変動時間が６通りに振り分けられている。
【０１１６】
【表１】
2006087460.tif 000003
【０１１７】
一方、ステップＳ３０２の当り時変動設定処理は、０〜６５５３５までの可変変動用乱数（可変変動カウンタ）の値を用いて、例えば以下の表２で表されるテーブルによって変動時間が６通りに振り分けられる。この当り特変動設定処理が実行されると、内部的な当りフラグに「１」がセットされて、本ルーチンがリターンされる。
【０１１８】
【表２】
2006087460.tif 000004
【０１１９】
図１６は上記の特図変動設定処理（図１４中のステップＳ２０４）に含まれる特図変動実行処理Ｂの内容を示している。先の特図変動設定処理Ａによって特別図柄の変動が開始されると、ここでは変動期間中であるか否かが判断される（ステップＳ４０１）。具体的には、変動期間中であるか否かは上記の変動タイマを参照することで判断可能であり、変動タイマが作動していると、それによって変動期間中である（ＹＥＳ）と判断され、逆に変動タイマが停止していれば、変動期間中でない（ＮＯ）と判断される。
【０１２０】
ステップＳ４０１で特別図柄の変動期間中であると判断されると、次に変動表示制御処理（ステップＳ４０２）が実行される。ここでは、特別図柄表示器３３２を構成する４つのＬＥＤ１１０について、例えば０〜１５のカウンタ値を取得しながらこれらを８ビットの値に割り当て、この値を用いて合計４つのスイッチ（ＬＥＤ４個分）のＯＮ／ＯＦＦを４０ｍｓ毎に切り替える処理が行われる。これにより、４つのＬＥＤ１１０が点滅しながら特別図柄表示器３３２による高速変動が実現される。なお、ここではカウンタ値を参照してＬＥＤ１１０の点灯・消灯を制御しているが、例えば所定の変動パターンテーブルを用いてＬＥＤ１１０の点灯・消灯パターンを切り替えることもできる。
【０１２１】
この後、変動タイマがカウントアップして変動期間が終了すると、特別図柄の変動期間中ではない（ＮＯ）と判断されて、次に停止パターン表示制御（ステップＳ４０３）が実行される。この停止パターン表示制御では、先の特図変動設定処理Ａ（図１５）等で既に選択されている停止パターンの点灯・消灯表示パターンデータが特別図柄表示器３３２に送信される。なお、パターンデータの送信は毎回の割込周期（例えば４ｍｓ）で行う必要はなく、適宜サンプリングすることでＬＥＤ１１０の発光輝度を調整することが好ましい。
【０１２２】
［大当り処理について］  図１７に基づき説明する。
図１７は大当り処理の内容を示している。
内部的に条件装置が作動して大当り処理が実行されると、先ず所定のラウンドカウンタが初期化される（ステップＳ５０１）。このラウンドカウンタは例えばＲＡＭ内に確保されており、この初期化に伴ってラウンドカウンタの値はリセットされる。なお、ラウンドカウンタは大当り遊技中のラウンド数をカウントするためのものであり、その値が設定最大回数に達すると大当り処理が終了となる。
【０１２３】
上記のラウンドカウンタが初期化された後、所定の入賞球数カウンタに「０」がセットされ（ステップＳ５０２）、続いて大入賞口（アタッカ装置９８）が開放される（ステップＳ５０３）。そして、次のステップＳ５０４では大入賞口の開放期間が設定最大期間（例えば３０秒）内であるか否かが判断される。開放期間が設定最大期間内であれば（ＹＥＳ）、次に入賞球カウンタの値が１０未満であるか否かが判断される（ステップＳ５０５）。このとき入賞球カウンタの値が１０に満たなければ（ＹＥＳ）、大入賞口に対応するカウントセンサの検出信号がＯＮになったか否かが判断される（ステップＳ５０６）。大入賞口への入賞によりカウントセンサがＯＮになると（ＹＥＳ）、次のステップＳ５０７で入賞球数カウンタに「１」が加算され、再度ステップＳ５０４の判断が行われる。あるいは、ステップＳ５０６で大入賞口への入賞がなく、カウントセンサがＯＮになっていなければ（ＮＯ）、入賞球数カウンタが加算されることなくステップＳ５０４の判断が行われる。
【０１２４】
「通常大当り」または「確変大当り」の場合、通常は設定最大期間である３０秒が経過するか、あるいは入賞球が１０カウントに達するかのいずれかの条件が満たされると１ラウンドが終了となる。これら２つの条件のいずれかが満たされると、ステップＳ５０４またはステップＳ５０５の判断が否定（ＮＯ）されるので、ラウンド終了のために大入賞口が閉止（ステップＳ５０８）される。そして、次のステップＳ５０９でラウンドカウンタの値が設定最大継続回数（例えば１５ラウンド）に達したか否かが判断される。
【０１２５】
ラウンドカウンタの値が設定最大継続回数（１５ラウンド）に達していなければ（ステップＳ５０９においてＮＯ）、次にラウンドカウンタの値に「１」が加算（ステップＳ５１０）されて入賞球数カウンタが「０」にリセットされる（ステップＳ５０２）。
【０１２６】
上記の処理は「通常大当り」または「確変大当り」中における１ラウンド目の処理に相当する内容である。この後、ラウンド動作が繰り返されてラウンドカウンタの値が設定最大継続回数（１５ラウンド）に達したと判断されると（ステップＳ５０９においてＹＥＳ）、そこで大当り処理は終了となる。
【０１２７】
［演出表示装置における演出表示の詳細について］  図１８〜図２２に基づき説明する。
図１８は、サブ統合基板３３６における制御処理の内容を示しており、図１９は、電飾制御基板３３８における制御処理の内容を示している。また、図２０は演出表示制御における機能的な構成を示している。また、図２１及び図２２は具体的な演出例を示している。
【０１２８】
ところで、これまで説明してきた処理は、純粋に主制御基板１３１による遊技動作の制御に関するものであるが、サブ統合基板３３６は主制御基板１３１から制御情報コマンドを受け取ると、これに基づいて各種の演出処理を実行することができるようになっている。
【０１２９】
詳細に説明すると、前述したように主制御基板１３１では、保留格納処理（Ｓ１０３）において、大当り判別用乱数、大当り図柄用乱数、可変変動用乱数、及び演出表示パターン乱数等が取得され、これらの乱数を基に、大当りの有無に関する情報（当否コマンド）、大当たりの場合に「通常大当り」または「確変大当り」のいずれであるかを示す情報（確変・非確変コマンド）、及び演出表示パターンの種類に関する情報、すなわち特別図柄の変動時間に関する情報（変動表示パターンコマンド）が、変動開始コマンドとして設定され、主制御基板１３１からサブ統合基板３３６に送信される（Ｓ２０５）。
【０１３０】
そして、サブ統合基板３３６では、図１８に示すように、主制御基板１３１から変動開始コマンドを受け取ると（ステップＳ６０１においてＹＥＳ）、受け取ったこれらの変動開始コマンドを基に、演出表示装置１１５における変動態様を設定する（ステップＳ６０２）。具体的には、変動表示パターンコマンドに対応した変動表示パターンを設定するとともに、当否コマンド及び確変・非確変コマンドに基づいて装飾図柄列における最終停止図柄を決定する。例えば、「確変大当り」の場合には、確変大当りに相当する複数の装飾図柄の中から一つの図柄を最終停止図柄として決定する。また、サブ統合基板３３６は、乱数発生手段（図示しない）を有しており、乱数を取得するとともに、取得された乱数に応じて大当たり予告の演出態様（例えば出現時期や出現順序が不規則な所定のハプニング演出パターン）を付加する。さらに、サブ統合基板３３６では、決定されたこれらの変動態様を、電飾制御基板３３７、３３８及び波形制御基板３３９に対する変動開始コマンドとして設定する（ステップＳ６０３）。具体的には、変動表示パターンコマンド、最終停止図柄コマンド、及びハプニング演出パターンコマンド等を設定する。そして、設定されたこれらの変動開始コマンドを、各制御基板３３７，３３８，３３９に送信する（ステップＳ６０４）。これにより、これらの制御基板３３７，３３８，３３９では、抽選結果に応じた演出表示を行ったり、その演出表示に合せて音声等を発生させることが可能になる。
【０１３１】
特に、電飾制御基板３３８では、図１９に示すように、サブ統合基板３３６から変動開始コマンドを受け取ると（ステップＳ７０１においてＹＥＳ）、その変動開始コマンドを基に、演出表示装置１１５における変動態様を設定（ステップＳ７０２）し、その後、演出表示装置１１５を制御する（ステップＳ７０３）。具体的には、変動表示パターンコマンドに対応した変動表示パターンを設定するとともに、最終停止図柄コマンドに基づいて、装飾図柄列の最終停止図柄を設定する。また、ハプニング演出パターンコマンドに対応したハプニング演出を決定するとともに、より具体的な演出態様を付加する。つまり、電飾制御基板３３８は、乱数発生手段（図示しない）を有しており、演出表示装置１１５における夫々の変動パターンに対して、より具体的な演出態様を付加することを可能にしている。詳細には、電飾制御基板３３８におけるＲＯＭ３７１には、変動パターンの種類と、それぞれの変動パターンに対して選択可能（出現可能）な出現体（物体やキャラクタ）とが関連付けて記憶されており、例えば、「○○リーチ系」という変動パターンが主制御基板１３１において決定された場合には、「○○リーチ系」に対応する複数種類の出現体の中から一つまたは複数の出現体を選択し、一連の変動パターンの演出表示中に、選択した出現体を出現させることを可能にしている。このように、本例では、出現体を含む変動パターンの選択処理が、主制御基板１３１、サブ統合基板１１１、及び電飾制御基板３３８において分担されており、これにより、主制御基板１３１及びサブ統合基板１１１における処理の負担を軽減するとともに、変動パターンの複雑化、ひいては演出の興趣を向上させている。
なお、図１８及び図１９に示すフローチャートでは、サブ統合基板３３６及び電飾制御基板３３８におけるコマンド受信処理のうち、特に演出の制御に関する変動開始コマンドの受信処理のみを説明している。すなわち、ここでは、電源投入時のコマンドや異常時のコマンドに対する処理は省略している。
【０１３２】
ところで、本例の演出表示装置１１５に表示される演出画像には、周期性をもって変動表示される装飾図柄と、装飾図柄の変動中、所定のタイミングで出現可能な複数の出現体（キャラクター等）とが含まれている。以下、装飾図柄及び出現体について詳細に説明する。
【０１３３】
（装飾図柄について）
本例では、装飾図柄として、例えば、上・中・下の３つの装飾図柄列が設定されており、装飾図柄列毎に左装飾図柄、中装飾図柄、及び右装飾図柄が変動表示されるようになっている。一連の装飾図柄は、「０」〜「９」の数字を各々付した主装飾図柄と、絵図柄からなる副装飾図柄とにより構成されており、数字の昇順又は降順に主装飾図柄が表示されると共に各主装飾図柄の間に副装飾図柄が配されて一連の装飾図柄列が構成されている。そして、主装飾図柄と副装飾図柄とが周期性を持って右から左へと変動表示されるようになっており、上装飾図柄列→下装飾図柄列→中装飾図柄列の順に変動表示が停止し、その停止時に何れかの有効ライン上で主装飾図柄が大当り装飾図柄の組合せ（例えば「７」，「７」，「７」）で揃えば大当りとして特別遊技動画が表示されるようになっている。
【０１３４】
なお、本例では、演出表示装置１１５における装飾図柄列の変動開始時期を、特別図柄の変動開始後とし、装飾図柄列の変動停止を特別図柄の変動停止前としている。これにより、特別図柄の変動表示の開始時と停止時には、演出表示装置１１５での演出表示を行わないことで、特別図柄の変動表示に対して演出表示装置１１５での紛らわしい表示を行うことを防止するとともに、演出表示装置１１５の演出中に当りか否かを認識させること、すなわち演出の効果を損なうことを防止している。
【０１３５】
（出現体について）
キャラクタ等からなる出現体は、抽選結果に対する予告として表示されるものであり、夫々、大当りの信頼度に対応付けられている。この出現体を装飾図柄の変動中に登場（出現）させることにより遊技者の期待感にメリハリをつけることが可能となる。本例では複数のキャラクタが用意されており、夫々のキャラクタにおける大当たりの信頼度と、遊技中に夫々のキャラクタが出現する頻度との関係が予めテーブルで設定されている。
なお、大当りの信頼度とは、外れ時の演出として選択される確率が異なっている複数の演出がある場合、その選択率の異なりによって発生するものである。例えば、選択率が低い演出ほど大当りに対する信頼度が高くなり、期待値が高くなる。
【０１３６】
次に、装飾図柄及び出現体の演出表示制御における機能的な構成、すなわち演出プログラムとして実現される機能的な構成と、それらの構成が用いられた具体的な演出例とについて説明する。図２０に示すように、電飾制御基板３３８には、主基板３１０からサブ統合基板３３６を介して送信された制御情報コマンドがコマンド受信手段４１１によって受信されると、これを基に演出表示装置１１５を制御する演出表示制御手段４１３が設けられている。
【０１３７】
演出表示制御手段４１３は、演出表示装置１１５において複数の装飾図柄列を変動させるとともに、装飾図柄列の変動中、演出表示装置１１５に出現体であるキャラクタ及び背景を所定のタイミングで出現させるものである。つまり、演出表示制御手段４１３には、図柄制御手段４１４及び装飾図柄変動制御手段４１２が設けられており、演出表示装置１１５において複数の装飾図柄列を変動させるとともに、コマンド受信手段４１１によって認識された最終停止図柄コマンドを基に装飾図柄列を順に停止させるものである。具体的な演出例としては、図２１（ａ）に示すように、円板状の部材の中に数字（１〜９の数字）が嵌め込まれ更にそれらが八角形の枠体の中に組み込まれたようなデザインの装飾図柄Ｓが表示され、昇順又は降順で一列に並ぶ複数の装飾図柄Ｓの間には、それらの各装飾図柄Ｓを押すように複数の種類のキャラクタＣが表示される。なお、図２１（ａ）は、上列の図柄列及び下列の図柄列が停止し、中列の図柄列が変動中である表示状態を示している。なお、この場合、既に停止している図柄列の組合せが、特別の組合わせ（「７」，「７」の組合せ）を充足していることから、この後、演出表示装置１１５には、「リーチ」と大きく表示され、リーチ状態であることが報知される。
【０１３８】
また、演出表示制御手段４１３には、キャラクタを動的に表示させるキャラクタ制御手段４１５と、背景を動的に表示させる背景制御手段４１６とを具備している。また、演出表示制御手段４１３には、動作制御手段４１７が備えられており、コマンド受信手段４１１によって認識された変動表示パターンコマンドやハプニング演出パターンコマンドに基づいて、キャラクタの種類やそのキャラクタの変動パターンを選択するようにしている。
【０１３９】
キャラクタの種類及びその変動パターンの種類は多種に亘るが、その一つとして、リーチ状態（例えば図２１（ａ）参照）の達成後に出現可能な演出表示であって、前方（遊技者側）に向かって逃げ回る装飾図柄Ｓとその後方から装飾図柄Ｓを追いかけるキャラクタＣとを演出表示させる場合がある（例えば図２１（ｂ）参照）。つまり、キャラクタＣの前側に装飾図柄Ｓ（中図柄列における最終停止図柄）を表示させた状態で、背景を漸次変化させることにより、装飾図柄ＳとキャラクタＣとが前方に向かって動作しているように見せる演出である。具体的には、図２１（ｂ）に示すように、装飾図柄Ｓとしては、図柄列における装飾図柄Ｓ（（ａ）に示す装飾図柄Ｓ）から八角形の枠体が除かれた絵柄、換言すれば枠体の中から飛び出した状態を示す絵柄の装飾図柄が動的に表示され、一方、キャラクタＣとしては、赤いスーツを着た出っ歯の男性が頭上に八角形の枠体を持っている絵柄、換言すればその男性が枠体を使って装飾図柄Ｓを捕まえようとする絵柄のキャラクタが動的に表示される。また、背景としては、住宅や壁等の構造物、木や山等の風景、及び工事現場の用具やバケツ等が表示される。なお、演出表示装置１１５における左右の上端隅部には、既に停止している上図柄列及び下図柄列の停止装飾図柄ＴＳが表示される。
【０１４０】
ところで、このような演出表示を行う場合、装飾図柄ＳとキャラクタＣとが前後方向において重なる配置となるため、キャラクタＣが装飾図柄Ｓの影に隠れて見え難くなり、演出の面白みが半減する恐れがある。そこで、本例では、装飾図柄Ｓの表示位置がキャラクタＣの表示位置に対して右側及び左側へと交互に入れ替わるように、装飾図柄Ｓを左右方向に繰り返し変位させるようにしている（図２１（ｂ）と図２１（ｃ）とを比較参照）。さらに詳しくは、キャラクタＣを演出表示装置１１５の略中央部分に表示させるとともに、装飾図柄Ｓを演出表示装置１１５の右下端と左下端との間で変位させるようにしている。なお、装飾図柄Ｓが繰り返し変位する周期は特に限定されるものではないが、本例では、約１００ｍｓ〜１０００ｍｓぐらいの周期で変位するように設定されている。これによれば、キャラクタＣと装飾図柄Ｓとの位置が入れ替わる途中で、双方が互いに重なる場面があるものの、それ以外の場面では装飾図柄ＳとキャラクタＣとが左右方向、または斜め左右方向に並んだ状態となることから、装飾図柄Ｓ及びキャラクタＣの、形状や動作をはっきりと認識させることが可能になる。また、本例では装飾図柄Ｓの位置に応じてキャラクタＣの向きを変化させるようにしている。具体的には、キャラクタＣの身体及び顔が装飾図柄Ｓの方を向くように、キャラクタＣの向きを装飾図柄Ｓの動作に従って変化させている。これによれば、キャラクタＣのアングルが変化することから、キャラクタＣの動作に躍動感が生じるとともに、例えばキャラクタＣが装飾図柄Ｓを追いかけるような演出を容易に実現することが可能となる。
【０１４１】
また、この演出表示においては、キャラクタＣ及び装飾図柄Ｓの躍動感を一層高め臨場感のある演出を行うため、複数の演出機能を備えている。すなわち、図２０に示すように、動作制御手段４１７には、背景切替手段４１７ａ、相対比制御手段４１７ｂ、背景比率調整手段４１７ｃ、旋回表示手段４１７ｄ、キャラクタ強調手段４１７ｅ、分割制御手段４１７ｆ、図柄変形手段４１７ｇ、及び位置変更手段４１７ｈが機能的な構成として備えられている。
【０１４２】
背景切替手段４１７ａは、キャラクタＣに対する装飾図柄Ｓの相対位置に応じて、背景の流れる向きを切り替えるものであり、装飾図柄ＳとキャラクタＣとの表示位置を直線で繋ぐと仮定した場合、その直線に沿って背景が流れるように演出表示を行う。例えば、演出表示装置１１５の中央にキャラクタＣが表示され、演出表示装置１１５の左下に装飾図柄Ｓが表示されている場合には、演出表示装置１１５の左下から右上に向かって背景が流れるように表示される。これにより、装飾図柄Ｓを追いかけるキャラクタＣの向きと背景の流れとが相反方向となり、キャラクタＣの動作における臨場感を増加させることができる。
【０１４３】
相対比制御手段４１７ｂは、装飾図柄Ｓに対するキャラクタＣの相対的な大きさを漸次変化させるものである。上記したように、装飾図柄ＳがキャラクタＣに対して左右方向に変位することから、それによって装飾図柄ＳとキャラクタＣとの遠近感を出すことはある程度可能であるが、本例では、さらに装飾図柄Ｓに対するキャラクタＣの相対的な大きさを変化させることにより、キャラクタＣが装飾図柄Ｓから離れている状態（図２１（ｂ）参照）と、キャラクタＣが装飾図柄Ｓに接近している状態（図２１（ｃ）参照）とを区別して表現している。
【０１４４】
背景比率調整手段４１７ｃは、装飾図柄ＳとキャラクタＣとの比率に応じて、背景における手前側と奥側との比率を合せて表示するもの、すなわち背景における遠近感を調整するものである。これによれば、装飾図柄ＳとキャラクタＣとが離れている場合と接近している場合とで、背景における手前側と奥側との比率が変化するため、装飾図柄ＳとキャラクタＣとの遠近感を強調し、演出における臨場感をさらに高めることが可能になる。
【０１４５】
旋回表示手段４１７ｄは、装飾図柄Ｓを左右方向に変位させる場合、装飾図柄Ｓをコマのように旋回表示させるものである。これによれば、装飾図柄Ｓの動作に旋回動作が加わるため、自転しながら立体的に動作する装飾図柄Ｓを演出表示させることが可能になり、視覚的な面白みを一層高めることができる。また、装飾図柄Ｓの旋回動作によって、装飾図柄Ｓの動作速度をキャラクタＣの動作速度よりも速く見せることができ、双方の画像を明確に区別させることが可能になる。
【０１４６】
キャラクタ強調手段４１７ｅは、装飾図柄ＳとキャラクタＣとの関係が所定の条件を満たしたとき、図２２（ａ）に示すように、装飾図柄Ｓを演出表示装置１１５から一旦消去させるとともに、キャラクタＣを演出表示装置１１５の全面に拡大表示させるものである。これによれば、キャラクタＣの動作や表情が分かりやすくなるとともに、キャラクタＣの迫力を増大させることができる。
【０１４７】
分割制御手段４１７ｆは、装飾図柄ＳとキャラクタＣとの関係が所定の条件を満たしたとき、図２２（ｂ）に示すように、演出表示装置１１５の画面を上下二つの表示領域に分割するものであり、上側の表示領域Ｒ１では、表示中の装飾図柄Ｓ及びキャラクタＣによる演出表示を引き続き行い、下側の表示領域Ｒ２には、キャラクタＣの少なくとも一部（例えばキャラクタＣの特徴部分である出っ歯の部分）を拡大表示するように制御するものである。なお、下側の領域Ｒ２における拡大表示は、動画であってもよく静止画であってもよい。これによれば、装飾図柄Ｓ及びキャラクタＣによる演出表示を継続して視認させつつ、拡大表示されるキャラクタＣにより迫力のある演出を提供することができる。
【０１４８】
図柄変形手段４１７ｇは、装飾図柄ＳとキャラクタＣとの関係が所定の条件を満たしたとき、例えば、図２２（ｃ）に示すように、キャラクタＣが装飾図柄Ｓに追いつき枠体で装飾図柄Ｓを捕らえようとした時に、装飾図柄Ｓの外郭形状を変形させるものである。これによれば、装飾図柄Ｓの変形によって装飾図柄Ｓが捕捉される直前の場面であることを遊技者に認識させ、遊技者の期待感を膨らませることが可能になる。
【０１４９】
位置変更手段４１７ｈは、装飾図柄ＳとキャラクタＣとの関係が所定の条件を満たしたとき、例えば、図２２（ｄ）に示すように、キャラクタＣが装飾図柄Ｓを捕捉した時に、前後方向における装飾図柄ＳとキャラクタＣとの相対位置を変更し、キャラクタＣを装飾図柄Ｓの前側に位置させるように表示するものである。これによれば、遊技者は、装飾図柄ＳとキャラクタＣとの関係が所定の状態となったこと、例えば装飾図柄Ｓが捕捉された状態であることを明確に認識できるようになる。すなわち、演出における達成感を遊技者に生じさせることができる。
【０１５０】
ところで、図２０に示すように、制御情報コマンドを送信するコマンド送信手段４３７が備えられた主基板３１０には、始動口センサ３１８（本発明の遊技状態検出手段に相当）によって入球装置９６への入賞が検出されたとき、抽選手段として乱数を発生する乱数発生手段４３４と、特別図柄表示器３３２における特別図柄を変動させるとともに、乱数発生手段４３４によって発生した乱数、すなわち抽選結果に基づいて特別図柄の変動を停止させる特別図柄変動制御手段４３５と、乱数発生手段４３４によって発生した乱数が所定値である場合、大当りとして遊技者に有利な有利遊技状態（図１７の大当り処理）を発生させる有利遊技状態発生手段４３６とが備えられている。
【０１５１】
なお、上記の演出表示、すなわち装飾図柄Ｓ及びキャラクタＣによる演出表示は、有利遊技状態発生手段４３６によって有利遊技状態が発生する可能性が高いことを示唆するものである。換言すれば、大当りの信頼度が比較的高い場合に上記の演出表示を行うようにしている。このため、遊技者はこの演出表示が実行されることを願うようになり、演出表示の発生と遊技状態とを関連させながら、演出表示を楽しむようになる。特に、この演出表示においてキャラクタＣが追いかける装飾図柄Ｓは、リーチ発生後の最終停止図柄であることから、最終停止図柄が特定の装飾図柄（大当りの組合わせとなる装飾図柄（この場合「７」））で停止されることを望む遊技者の願望と、キャラクタＣの動作、すなわち特定の装飾図柄Ｓを捕捉しようとする動作とが合致することとなり、キャラクタＣへの注意が一層引きつけられる。すなわち、キャラクタＣへの関心が高められ、キャラクタＣとの一体感を生じさせることが可能となる。
【０１５２】
このように、本例のパチンコ機１では、装飾図柄Ｓを表示させる際、その装飾図柄Ｓの表示位置がキャラクタＣの表示位置に対して右側及び左側へと交互に入れ替わるように、装飾図柄Ｓを相対的に左右方向に繰り返し変位させるため、装飾図柄Ｓ及びキャラクタＣの、形状や動作をはっきりと認識させることができる。つまり、キャラクタＣ及び装飾図柄Ｓの動きが平面的である場合には、キャラクタＣ及び装飾図柄Ｓの大きさがともに小さくなり、例えばキャラクタＣが動作していても、その存在が分かり難く迫力のある演出を行うことができず、また、仮にキャラクタＣ及び装飾図柄Ｓのサイズをともに大きくすると、キャラクタＣと装飾図柄Ｓとが前後方向に重なった状態で配置されることから、キャラクタＣが装飾図柄Ｓに隠れて見えなくなりキャラクタＣの動作を把握することが困難となる恐れあるが、本例のように、装飾図柄Ｓを相対的に左右方向に繰り返し変位させることにより、キャラクタＣ及び装飾図柄Ｓのどちらも明確に視認させることができる。
【０１５３】
また、本例のパチンコ機１では、キャラクタＣのアングルが変化することから、キャラクタＣの動作に躍動感が生じるとともに、キャラクタＣが装飾図柄Ｓを追いかけるような演出を容易に実現することができる。つまり、キャラクタの動きが平面的である場合には、キャラクタＣのアングルが一様となり、演出によって視覚的な面白みを高めることが困難であるとともに、キャラクタＣの一方の側面しか表示されないため、キャラクタＣの動きの変化や表情の変化が分かり難くなってしまうが、本例ではキャラクタＣのアングルを変化させることから、キャラクタＣの躍動感を表現することができ、臨場感のある演出表示を提供することができる。
【０１５４】
また、本例のパチンコ機１では、キャラクタＣに対する装飾図柄Ｓの相対位置に応じて、背景の流れる向きを切替えるため、装飾図柄Ｓを追いかけるキャラクタＣの向きと背景の流れが関連付けられ、キャラクタＣの動作における臨場感を増加させることができる。つまり、背景の流れる方向が常に一定の場合には、キャラクタＣの動作方向が一定となり、装飾図柄Ｓを追いかけている臨場感が低減されるが、本例のように、装飾図柄ＳとキャラクタＣとの表示位置を繋ぐ直線に沿って背景が流れるように表示させれば、装飾図柄Ｓを追いかけるキャラクタＣの向きと背景の流れとが常に相反方向となり、装飾図柄Ｓがどの位置であっても、キャラクタＣが装飾図柄Ｓを追いかける様子を視認させることができる
【０１５５】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０１５６】
すなわち、上記実施形態では、キャラクタＣ及び装飾図柄Ｓを前方（遊技者側）に向かって動作させる演出表示を示したが、背景を後方から前方に向かって流し、装飾図柄Ｓ及びキャラクタＣが後方（パチンコ機１の奥側）に向かって動作するような演出表示を行うようにしてもよい。但し、上記実施形態のように前方に向かって動作させるようにすれば、装飾図柄Ｓの数字を明確に認識させることが可能になるとともに、キャラクタＣの表情の変化を楽しませることができる。
【０１５７】
また、上記実施形態では、演出表示における変動パターンの設定を、主制御基板１３１、サブ統合基板１１１、及び電飾制御基板３３８において分担するもの、例えば、主制御基板１３１では変動パターンの種類を決定し、サブ統合基板１１１では最終停止図柄を決定するとともに変動パターンを付加し、さらに電飾制御基板３３８では、詳細演出を決定するものを示したが、何れか一つの基板において全ての演出処理を行うようにしてもよい。但し、上記実施形態のように選出処理を分担するようにすれば、各基板における処理の負担を軽減するとともに、変動パターンを一層複雑化することができる。
【０１５８】
さらに、上記実施形態では、遊技機としてパチンコ機１を示したが、パチンコ機以外の遊技機、例えば、スロットマシーンや、パチンコ機とスロットマシーンとを融合させてなる遊技機等であっても本発明を適用することができる。
【図面の簡単な説明】
【０１５９】
【図１】パチンコ機の外枠の一側に本体枠が開かれその本体枠の一側に前面枠が開かれた状態を示す斜視図である。
【図２】パチンコ機の前側全体を示す正面図である。
【図３】遊技領域の構成を示す拡大正面図である。
【図４】パチンコ機の本体枠と遊技盤とを分離して斜め右上前方から示す斜視図である。
【図５】パチンコ機の後側全体を示す背面図である。
【図６】パチンコ機の後側全体を右上後方から示す斜視図である。
【図７】図６に示すパチンコ機の斜視図から後ろカバー及び各種制御基板等を取り外した状態を示す斜視図である。
【図８】パチンコ機の本体枠に各種部材が組み付けられた状態を斜め右上後方から示す斜視図である。
【図９】本体枠単体を斜め右上後方から示す斜視図である。
【図１０】パチンコ機の上部側における内部構成を示す横断面図である。
【図１１】各種の制御基板ボックスが装着された遊技盤を右下後方から示す斜視図である。
【図１２】制御構成を概略的に示すブロック図である。
【図１３】始動入賞処理のルーチンを示すフローチャートである。
【図１４】始動入賞に伴う遊技作動処理のルーチンを示すフローチャートである。
【図１５】特図変動設定処理に含まれる特図変動設定処理Ａの内容を示すフローチャートである。
【図１６】特図変動設定処理Ｂの内容を示すフローチャートである。
【図１７】大当り処理の内容を示すフローチャートである。
【図１８】サブ統合基板における制御処理の内容を示すフローチャートである。
【図１９】電飾制御基板における制御処理の内容を示すフローチャートである。
【図２０】演出表示制御における機能的な構成を示すブロック図である。
【図２１】具体的な演出例を示す表示画面の一例である。
【図２２】具体的な演出例を示す表示画面の一例である。
【符号の説明】
【０１６０】
１  パチンコ遊技機（遊技機）
１１５  演出表示装置（表示手段）
３１８  始動口センサ（遊技状態検出手段）
３１０  主基板
３１１  周辺基板
４１３  演出表示制御手段
４１４  図柄制御手段
４１５  キャラクタ制御手段
４１６  背景制御手段
４１７ａ  背景切替手段
４１７ｂ  相対比制御手段
４１７ｃ  背景比率調整手段
４１７ｄ  旋回表示手段
４１７ｅ  キャラクタ強調手段
４１７ｆ  分割制御手段
４１７ｇ  図柄変形手段
４１７ｈ  位置変更手段
４３４  乱数発生手段（抽選手段）
４３５  特別図柄変動制御手段
４３６  有利遊技状態発生手段
【図１】
2006087460.tif 000005
【図２】
2006087460.tif 000006
【図３】
2006087460.tif 000007
【図４】
2006087460.tif 000008
【図５】
2006087460.tif 000009
【図６】
2006087460.tif 000010
【図７】
2006087460.tif 000011
【図８】
2006087460.tif 000012
【図９】
2006087460.tif 000013
【図１０】
2006087460.tif 000014
【図１１】
2006087460.tif 000015
【図１２】
2006087460.tif 000016
【図１３】
2006087460.tif 000017
【図１４】
2006087460.tif 000018
【図１５】
2006087460.tif 000019
【図１６】
2006087460.tif 000020
【図１７】
2006087460.tif 000021
【図１８】
2006087460.tif 000022
【図１９】
2006087460.tif 000023
【図２０】
2006087460.tif 000024
【図２１】
2006087460.tif 000025
【図２２】
2006087460.tif 000026